(57)【要約】      （修正有）【課題】ロッカーや家具、冷蔵庫などに衣服や道具、工具などの重みのあるものを吊るための、マグネットまたは吸着盤付き吊り下げ具を提供する。【解決手段】マグネットを組み込み、磁着力を有するアーム支持部２をアーム１の一方に設け、該アーム支持部２が工作体６の上面に前記アーム１の一方を保持し、前記アーム１の他方にアーム支点部３を設け、該アーム支点部３が前記アーム１の一方を支持し、前記アーム支点部３を設け支持した前記アーム１の先を下垂させて吊り下げ具４にし、前記アーム支持部２から前記アーム支点部３までの距離を前記アーム支点部３から前記吊り下げ具４までの距離よりも長くし、工作体６の上面に置いた端より吊り下げることを特徴として吊り下げ具を形成する。【選択図】図１
0003159755.tif 000002
【実用新案登録請求の範囲】
【請求項１】
マグネットを組み込み、磁着力を有するアーム支持部をアームの一方に設け、該アーム支持部が工作体の上面に前記アームの一方を保持し、前記アームの他方にアーム支点部を設け、該アーム支点部が前記アームの一方を支持し、前記アーム支点部を設け支持した前記アームの先を下垂させて吊り下げ具にし、前記アーム支持部から前記アーム支点部までの距離を前記アーム支点部から前記吊り下げ具までの距離よりも長くし、工作体の上面に置いた端より吊り下げることを特徴とする吊り下げ具
【請求項２】
上記請求項１に記載の工作体の上面に置いた端より吊り下げる吊り下げ具において、前記アームの一方は、前記アーム支持部を設けて前記アームを保持し、前記アームの他方は別置きとしたアーム支点体の上に前記アームを乗せて支持し、前記アーム支点体に乗せた前記アームの先を下垂させて前記吊り下げ具にし、前記アーム支持部から前記アーム支点体に乗せた前記アームの位置までの距離を前記アーム支点体に乗せた前記アームの位置から前記吊り下げ具までの距離よりも長くし、工作体の上面に置いた端より吊り下げることを特徴とする吊り下げ具
【請求項３】
上記請求項１に記載の工作体の上面に置いた端より吊り下げる吊り下げ具において、前記アームの一方は、前記アーム支持部を設けて前記アームを保持し、前記アームの他方は、直に前記アームで支持し、直に支持した前記アームの先を下垂させて前記吊り下げ具にし、前記アーム支持部から直に前記アームで支持した位置までの距離を直に前記アームで支持した位置から前記吊り下げ具までの距離よりも長くし、工作体の上面に置いた端より吊り下げることを特徴とする吊り下げ具
【請求項４】
上記請求項１〜３のいずれか１項に記載の工作体の上面に置いた端より吊り下げる吊り下げ具において、工作体上面に保持され支持された前記アームの先を下垂させずに吊り下げ具を前記アームに設け、工作体の上面に置いた端より吊り下げることを特徴とする吊り下げ具
【請求項５】
上記請求項１〜３のいずれか１項に記載の工作体の上面に置いた端より吊り下げる吊り下げ具において、工作体上面に保持され支持された前記アームの先からぶら下がる吊り下げ具を設け、工作体の上面に置いた端より吊り下げることを特徴とする吊り下げ具
【請求項６】
上記請求項１〜５のいずれか１項に記載の工作体の上面に置いた端より吊り下げる吊り下げ具において、前記アームの一方を保持する前記アーム支持部は前記アームと回動自在に設け、工作体の上面に置いた端より吊り下げることを特徴とする吊り下げ具
【請求項７】
上記請求項１〜６のいずれかに１項に記載の工作体の上面に置いた端より吊り下げる吊り下げ具において、マグネットを組み込み磁着力を有する前記アーム支持部を、吸着盤を組み込み吸着力を有するアーム支持部にして前記アームの一方に設け、該アーム支持部が工作体の上面に置いた前記アームの一方を保持させ、工作体の上面に置いた端より吊り下げることを特徴とする吊り下げ具
【考案の詳細な説明】
【技術分野】
【０００１】  本考案は、マグネット吊り具、吸着盤吊り具に関するものである。
【背景技術】
【０００２】  側面にマグネットまたは吸着盤を利用して、物を掛ける製品が市販されている。
【考案の概要】
【考案が解決しようとする課題】
【０００３】  大きな荷重のものでも吊れる、吊り下げ具にする。【０００４】  本考案は、磁性体にはマグネットを、非磁性体には吸着盤を組み込んだ吊り下げ具で、家庭や事務所、工場のロッカーや家具、冷蔵庫などに衣服や道具、工具などの重みのあるものでも吊る、マグネットまたは吸着盤付き吊り下げ具を提供するものである。
【課題を解決するための手段】
【０００５】  マグネットを組み込み、磁着力を有するアーム支持部２をアーム１の一方に設け、該アーム支持部２が工作体６の上面に前記アーム１の一方を保持し、前記アーム１の他方にアーム支点部３を設け、該アーム支点部３が前記アーム１の一方を支持し、前記アーム支点部３を設け支持した前記アーム１の先を下垂させて吊り下げ具４にし、前記アーム支持部２から前記アーム支点部３までの距離を前記アーム支点部３から前記吊り下げ具４までの距離よりも長くし、工作体６の上面に置いた端より吊り下げることを特徴とする吊り下げ具にする。【０００６】  上記請求項１に記載の工作体６の上面に置いた端より吊り下げる吊り下げ具において、アーム１の一方は、前記アーム支持部２を設けて前記アーム１を保持し、前記アーム１の他方は、別置きとしたアーム支点体７の上に前記アーム１を乗せて支持し、前記アーム支点体７に乗せた前記アーム１の先を下垂させて前記吊り下げ具４にし、前記アーム支持部２から前記アーム支点体７に乗せた前記アーム１の位置までの距離を前記アーム支点体７に乗せた前記アーム１の位置から前記吊り下げ具４までの距離よりも長くし、工作体６の上面に置いた端より吊り下げることを特徴とする吊り下げ具にする。【０００７】  上記請求項１に記載の工作体６の上面に置いた端より吊り下げる吊り下げ具において、前記アーム１の一方は、前記アーム支持部２を設けて前記アーム１を保持し、前記アーム１の他方は、直に前記アーム１で支持し、直に支持した前記アーム１の先を下垂させて前記吊り下げ具４にし、前記アーム支持部２から直に前記アーム１で支持した位置までの距離を直に前記アーム１で支持した位置から前記吊り下げ具４までの距離よりも長くし、工作体６の上面に置いた端より吊り下げることを特徴とする吊り下げ具にする。【０００８】  上記請求項１〜３のいずれか１項に記載の工作体６の上面に置いた端より吊り下げる吊り下げ具において、工作体６上面に保持され支持された前記アーム１の先を下垂させずに前記吊り下げ具３を前記アーム１に設け、工作体６の上面に置いた端より吊り下げることを特徴とする吊り下げ具にする。【０００９】  上記請求項１〜３のいずれか１項に記載の工作体６の上面に置いた端より吊り下げる吊り下げ具において、工作体６上面に保持され支持された前記アーム１の先からぶら下がる吊り下げ具４を設け、工作体６の上面に置いた端より吊り下げることを特徴とする吊り下げ具にする。【００１０】  上記請求項１〜５のいずれか１項に記載の工作体６の上面に置いた端より吊り下げる吊り下げ具において、アーム１の一方を保持する前記アーム支持部２は前記アーム１と回動自在に設け、工作体６の上面に置いた端より吊り下げることを特徴とする吊り下げ具にする。【００１１】  上記請求項１〜６のいずれかに１項に記載の工作体６の上面に置いた端より吊り下げる吊り下げ具において、マグネットを組み込んで磁着力を有する前記アーム支持部を、吸着盤を組み込み吸着力を有するアーム支持部２にして前記アーム１の一方に設け、該アーム支持部２が工作体６に置いた前記アーム１の一方を保持させ、工作体６の上面に置いた端より吊り下げることを特徴とする吊り下げ具にする。
【考案の効果】
【００１２】  工作物の上面に取り付け、テコの原理を利用することで、マグネットや吸着盤の有する磁力や吸着力より大きな荷重でも吊り下げられる吊り下げ具になる。【００１３】  工作物の上部に置き、テコの原理を利用すれば、マグネットや吸着盤の有する力以上の荷重を吊り下げられるので、冷蔵庫をはじめの、スチール製のロッカーや物置などが家庭や事務所にあるそれらの上部からテコの原理を応用して工具や図書、衣服，カバンなどを吊り下げることができる。【００１４】  また、従来の吊り具はマグネットや吸着盤を側面に取り付けるため磁力や吸着力の一部を吊り具自体の重さを保持する為に要していた力が、工作物の上面に吊り具を置くことで、それらを保持する為に使われる力は不要になり、上面に置いた端より吊り下げる吊り下げ具は、有効に力をはたらかせる事が出来る。
【図面の簡単な説明】
【００１５】
【図１】  工作体の上面に置いた端より吊り下げる吊り下げ具の具体例１の外観斜視図
【図２】  工作体の上面に置いた端より吊り下げる吊り下げ具の具体例２の外観斜視図
【図３】  工作体の上面に置いた端より吊り下げる吊り下げ具の具体例３の外観斜視図
【図４】  工作体の上面に置いた端より吊り下げる吊り下げ具の具体例４の外観斜視図
【図５】  工作体の上面に置いた端より吊り下げる吊り下げ具の具体例５の外観斜視図
【図６】  工作体の上面に置いた端より吊り下げる吊り下げ具の具体例６の外観斜視図
【図７】  工作体の上面に置いた端より吊り下げる吊り下げ具の原理図
【考案を実施するための形態】
【実施例】
【００１６】  この考案の実施の形態を図面と共に説明する。図１、２，３，４、５、６はこの考案の実施例１〜６の外観斜視図で、また図７は原理図である。【００１７】  工作体６の上面に置いた端より吊り下げる吊り下げ具を工作体６の上面の端から吊り下げ具４を出して置き、吊り下げ具４に吊り下げ荷重を加えると、吊り下げ荷重がアーム１の一部を支点にして応力がアーム支持部２に働き、テコの原理によりマグネットの磁力や吸着盤の吸着力より大きな吊り下げ荷重を吊り下げ具４で吊り下げられる。【００１８】  図１の実施例を説明する。
アーム１の一方に設けたアーム支持部２を工作体６の上面に置き、アーム支持部２の力により工作体６の上にアーム１は支持され、またアーム１の一方はアーム支点部３で支持させ、工作体６の上面の端から吊り下げ具４を吊り下げて本吊り具を置き、吊り下げ具４に吊り下げ荷重を加えると、該荷重の力はアーム１のアーム支点部３が支点となり、アーム１に設けられたアーム支持部２に伝わり、アーム支持部２とアーム支点部３までの距離が、アーム支点部３と吊り下げ具４迄の距離より長くしてあるのでテコの原理が働いて、アーム支持部２の有するマグネットの磁力や吸着盤の吸着力よりも大きな荷重を吊り下げ具４に加えても保持できる。【００１９】  次に図２の実施例を説明する。
工作体６の上面の端にアーム支点体７を置いて、該アーム支点体７にアーム１の一方をのせ、アーム１に設けた吊り下げ具４を工作体６の端から吊り下げて本吊り具を置き、アーム１をアーム支持部２の力とアーム支点体７の２点で工作体６の上に保持させ、吊り下げ具４に吊り下げ荷重を加えると、該荷重の力は工作体６の端のアーム支点体７が支点となり、アーム１に設けられたアーム支持部２に伝わり、アーム支持部２とアーム支点体７までの距離が、アーム支点体７と吊り下げ具４迄の距離より長くなっているので、テコの原理が働いてアーム支持部２の有するマグネットの磁力や吸着盤の吸着力より大きな荷重を吊り下げ具４にさげられる。【００２０】  次に図３、４の実施例を説明する。
吊り下げ具４が工作体６の端から吊り下がるようにアーム１を置き、アーム支持部２と直にアーム１の先でアーム１を支持させて、アーム１を工作体６の上に支持させる。吊り下げ具４に吊り下げ荷重を加えると、該荷重の力は直にアーム１で支持した部分が支点となり、荷重の力はアーム支持部２により伝わり、アーム支持部２とアーム１が支点となった位置までの距離が、アーム１が支点となった位置から吊り下げ具４迄の距離より長いので、テコの原理によりアーム支持部２の有するマグネットの磁力や吸着盤の吸着力より大きな荷重を吊り下げ具４でさげられる。（以上図３）
吊り下げ具４が工作体６の端から吊り下がるようにアーム１を置き、アーム支持部２とアーム支点部３でアーム１を支持させて、アーム１を工作体６の上に支持させる。吊り下げ具４に吊り下げ荷重を加えると、該荷重の力はアーム支点部３が支点となり、荷重の力はアーム支持部２により伝わり、アーム支持部２とアーム支点部３の距離が、アーム支点部３から吊り下げ具４迄の距離より長いので、テコの原理によりアーム支持部２の有するマグネットの磁力や吸着盤の吸着力より大きな荷重を吊り下げ具４でさげられる。（以上図４）【００２１】  次に図５の実施例を説明する。
いろいろな形状、長さのぶら下がる吊り下げ具４を用意し、吊り下げる面の位置にあっている吊り下げ具４をアーム１に組み、いろいろな形状や長さ、重さの品物を吊ることが出来る。【００２２】  次に図６の実施例を説明する。
工作体６の上面に高低が有っても、アーム支持部２と前記アーム１とを回動自在にすることで、安定よくアーム１を保持出来る。【００２３】  次に図７の原理図を説明する。アーム１がバランス取れて工作体６の上に保持されていれば、アーム支持部２にかかる力をＷａ、吊り下げ具４にかかる力をＷｂとし、アーム支持部２からアーム支点部３までの水平距離をＡ、アーム支点部３から吊り下げ具４までの水平距離をＢとすると、テコの原理により
Ａ  ｘ  Ｗａ＝Ｂ  ｘ  Ｗｂ    の関係式が成り立ち
Ｂ＜Ａ  になっているので    Ｂ／Ａ＜１
Ｗａ／Ｗｂ  ＝  Ｂ／Ａ＜１  従って  Ｗａ＜Ｗｂ    となり
アーム部２にかかる力Ｗａは、吊り下げ具４にかかる力Ｗｂより大きい値の力であるからバランス良く保持出来る。
【符号の説明】
【００２４】  １    アーム
２    アーム支持部
３    アーム支点部
４    吊り下げ具
５    回動自在部
６    工作体
７    アーム支点体
８    滑り止め
Ａ    アーム支持部からアーム支点部までの距離
Ｂ    アーム支点部から吊り下げ具までの距離
Ｗａ  アーム支持部にかかる力
Ｗｂ  吊り下げ具にかかる力
【図１】
0003159755.tif 000003
【図２】
0003159755.tif 000004
【図３】
0003159755.tif 000005
【図４】
0003159755.tif 000006
【図５】
0003159755.tif 000007
【図６】
0003159755.tif 000008
【図７】
0003159755.tif 000009